【手続補正書】
【提出日】平成29年12月6日(2017.12.6)
【手続補正１】
【補正対象書類名】特許請求の範囲
【補正対象項目名】全文
【補正方法】変更
【補正の内容】
【特許請求の範囲】
【請求項１】
第１の投射型表示装置により画像が投射される領域と第２の投射型表示装置により画像が投射される領域とが重複するスクリーン上の重複領域を特定する特定手段と、
前記特定手段により特定される前記重複領域の明るさであって、前記第１の投射型表示装置により画像が投射されている状況における前記重複領域の明るさを判定する判定手段と、
前記第２の投射型表示装置による投射対象の画像における前記重複領域に対応する部分の明るさを低減させる補正処理を行うために使用されるパラメータを、前記判定手段により判定された明るさに基づいて設定する設定手段であって、前記判定された前記重複領域内の特定位置の明るさが第１の値である場合における前記特定位置についての前記補正処理の程度が、前記特定位置の明るさが前記第１の値より大きい第２の値である場合における前記特定位置についての前記補正処理の程度よりも小さくなるように設定する設定手段と
を有することを特徴とする制御装置。
【請求項２】
前記判定手段は、前記第１の投射型表示装置から画像が投射されている状況であって、且つ、前記第２の投射型表示装置からは画像が投射されていないか又は黒画像が投射されている状況における、前記重複領域の明るさを判定することを特徴とする請求項１に記載の制御装置。
【請求項３】
前記判定手段は、前記第１の投射型表示装置により画像が投射されている状況において前記重複領域を撮影することにより得られる撮影画像に基づいて、前記重複領域の明るさを判定することを特徴とする請求項１又は２に記載の制御装置。
【請求項４】
前記判定手段は、前記第１の投射型表示装置により投射される画像の前記重複領域に対応する部分の明るさが補正処理により低減されている状況における前記重複領域の明るさを判定することを特徴とする請求項１乃至３の何れか１項に記載の制御装置。
【請求項５】
前記判定手段は、前記第１の投射型表示装置により投射される画像の前記重複領域内における複数の位置の明るさが補正処理によりそれぞれ異なる程度で低減されている状況における前記複数の位置の明るさを判定し、
前記設定手段は、前記複数の位置それぞれについての前記パラメータを、前記判定手段により判定された明るさに基づいて設定することを特徴とする請求項４に記載の制御装置。
【請求項６】
前記特定手段により特定される前記重複領域内の明るさであって、前記第２の投射型表示装置により画像が投射されている状況における前記重複領域の明るさを判定する第２判定手段を有し、
前記設定手段は、前記補正処理を行うために使用されるパラメータを、前記判定手段により判定された明るさ及び前記第２判定手段により判定された明るさに基づいて設定することを特徴とする請求項１乃至５の何れか１項に記載の制御装置。
【請求項７】
前記第２判定手段は、前記第２の投射型表示装置から画像が投射されている状況であって、且つ、前記第１の投射型表示装置からは画像が投射されていないか又は黒画像が投射されている状況における、前記重複領域の明るさを判定することを特徴とする請求項６に記載の制御装置。
【請求項８】
前記設定手段は、前記第２判定手段により判定された明るさに基づいて前記第２の投射型表示装置のディスプレイ特性を特定し、当該特定されたディスプレイ特性と前記判定手段により判定された明るさとに基づいて前記パラメータを設定することを特徴とする請求項６又は７に記載の制御装置。
【請求項９】
前記設定手段は、前記第２の投射型表示装置による投射対象の画像における前記重複領域に対応する部分の明るさを低減させる補正処理を行うために使用される複数のパラメータであってそれぞれ異なる色に対応する複数のパラメータを設定することを特徴とする請求項１乃至８の何れか１項に記載の制御装置。
【請求項１０】
前記設定手段により設定されるパラメータを使用して、前記第２の投射型表示装置による投射対象の画像に対する補正処理を実行する補正処理手段を有することを特徴とする請求項１乃至９の何れか１項に記載の制御装置。
【請求項１１】
前記第１の投射型表示装置により前記スクリーンに投射される画像とともに、前記設定手段により設定されたパラメータを使用した前記補正処理に応じた画像を前記第２の投射型表示装置により前記スクリーンに投射させる投射手段とを有することを特徴とする請求項１乃至１０の何れか１項に記載の制御装置。
【請求項１２】
前記第１の投射型表示装置と、
前記第２の投射型表示装置と、
請求項１乃至１１の何れか１項に記載の制御装置と
を有することを特徴とする画像表示システム。
【請求項１３】
第１の投射型表示装置により画像が投射される領域と第２の投射型表示装置により画像が投射される領域とが重複するスクリーン上の重複領域を特定する特定工程と、
前記特定工程において特定される前記重複領域の明るさであって、前記第１の投射型表示装置により画像が投射されている状況における前記重複領域の明るさを判定する判定工程と、
前記第２の投射型表示装置による投射対象の画像における前記重複領域に対応する部分の明るさを低減させる補正処理を行うために使用されるパラメータを、前記判定工程において判定された明るさに基づいて設定する設定工程であって、前記判定された前記重複領域内の特定位置の明るさが第１の値である場合における前記特定位置についての前記補正処理の程度が、前記特定位置の明るさが前記第１の値より大きい第２の値である場合における前記特定位置についての前記補正処理の程度よりも小さくなるように設定する設定工程と
を有することを特徴とする制御方法。
【請求項１４】
前記判定工程においては、前記第１の投射型表示装置から画像が投射されている状況であって、且つ、前記第２の投射型表示装置からは画像が投射されていないか又は黒画像が投射されている状況における、前記重複領域の明るさが判定されることを特徴とする請求項１３に記載の制御方法。
【請求項１５】
前記判定工程においては、前記第１の投射型表示装置により投射される画像の前記重複領域に対応する部分の明るさが補正処理により低減されている状況における前記重複領域の明るさが判定されることを特徴とする請求項１３又は１４に記載の制御方法。
【請求項１６】
コンピュータを、請求項１乃至１１の何れか１項に記載の制御装置の各手段として機能させるためのプログラム。
【手続補正２】
【補正対象書類名】明細書
【補正対象項目名】発明の名称
【補正方法】変更
【補正の内容】
【発明の名称】制御装置、制御方法、画像表示システム及びプログラム
【手続補正３】
【補正対象書類名】明細書
【補正対象項目名】０００１
【補正方法】変更
【補正の内容】
【０００１】
本発明は、制御装置、制御方法、画像表示システム及びプログラムに関するものである。
【手続補正４】
【補正対象書類名】明細書
【補正対象項目名】００１２
【補正方法】変更
【補正の内容】
【００１２】
本発明の制御装置は、第１の投射型表示装置により画像が投射される領域と第２の投射型表示装置により画像が投射される領域とが重複するスクリーン上の重複領域を特定する特定手段と、前記特定手段により特定される前記重複領域の明るさであって、前記第１の投射型表示装置により画像が投射されている状況における前記重複領域の明るさを判定する判定手段と、前記第２の投射型表示装置による投射対象の画像における前記重複領域に対応する部分の明るさを低減させる補正処理を行うために使用されるパラメータを、前記判定手段により判定された明るさに基づいて設定する設定手段であって、前記判定された前記重複領域内の特定位置の明るさが第１の値である場合における前記特定位置についての前記補正処理の程度が、前記特定位置の明るさが前記第１の値より大きい第２の値である場合における前記特定位置についての前記補正処理の程度よりも小さくなるように設定する設定手段とを有する。
また、本発明は、上述した制御装置による制御方法、上述した第１の投射型表示装置と第２の投射型表示装置と制御装置とを有する画像表示システム、及び、上述した制御装置の各手段としてコンピュータを機能させるためのプログラムを含む。